(57)【特許請求の範囲】
【請求項１】
踏むことにより所定電力を発電するタグ付きブロックに内蔵され所定の位置情報が記録されたＩＣタグと、
前記タグ付きブロックに内蔵され前記タグ付きブロックにより発電された電力により動作されるとともに前記ＩＣタグの情報を送信するためのリーダライタ装置と、
視覚障害者が携帯し、前記リーダライタ装置により位置情報が書き込まれる個人識別用タグと、前記個人識別用タグに書き込まれた位置情報を音声により発音する音声伝達装置とを備えた案内杖と、
前記タグ付きブロックに接続されて、前記タグ付きブロックが踏まれたことに基づいて前記リーダライタ装置を起動するとともに視覚障害者の移動方向を判断する制御装置と、
を備えていることを特徴とする位置情報案内システム。
【請求項２】
前記リーダライタ装置は、前記個人識別用タグの情報を読み取ることを特徴とする請求項１に記載の位置情報案内システム。
【請求項３】
前記制御装置は、前記タグ付きブロックの設置位置情報に基づいて、いずれの位置の前記タグ付きブロックにより発電されたか否かを判断し、前記タグ付きブロックの発電状況から歩行者がいずれの方向に歩行しているかを判断する判断部と、前記判断部により判断された視覚障害者の移動方向に基づいて前記タグ付きブロックの前記ＩＣタグに記録された位置情報を変換して書き換える位置情報管理部とを備えていることを特徴とする請求項１または請求項２に記載の位置情報案内システム。
【請求項４】
前記タグ付きブロックの周囲に設置され、踏むことにより所定電力を発電する発電ブロックをさらに備えていることを特徴とする請求項１から請求項３のいずれか一項に記載の位置情報案内システム。
【請求項５】
前記制御装置は、少なくとも前記タグ付きブロックにより発電された電力を蓄電する蓄電池をさらに備え、前記リーダライタ装置は、前記蓄電池に蓄電された電力により駆動されることを特徴とする請求項３に記載の位置情報案内システム。
【請求項６】
前記制御装置は、前記タグ付きブロックが踏まれたことをトリガとして、前記リーダライタ装置を起動させるように制御することを特徴とする請求項３から請求項５のいずれか一項に記載の位置情報案内システム。
【請求項７】
前記制御装置は、前記リーダライタ装置を起動させた後に、前記リーダライタ装置により前記案内杖の個人識別用タグを認識しない場合は、前記リーダライタ装置を停止させるように制御することを特徴とする請求項６に記載の位置情報案内システム。
【請求項８】
前記制御装置は、中央管理システムと通信を行う通信部をさらに備え、前記制御装置は、前記通信部により受信した案内情報を前記ＩＣタグに書き込むことを特徴とする請求項３から請求項７のいずれか一項に記載の位置情報案内システム。
【発明の詳細な説明】
【技術分野】
【０００１】
本発明は位置情報案内システムに係り、特に、視覚障害者に適正に位置情報を伝達することができ、設備工事が簡単で、設備コストも低減させることを可能とした位置情報案内システムに関するものである。
【背景技術】
【０００２】
一般に、駅の構内などの公共施設には、視覚障害者が安全に移動することができるように、視覚障害者用の点字ブロックが敷設されている。この点字ブロックをたどって移動することにより、安全な歩行が可能であるが、点字ブロックが案内している先にどのような施設などがあるかを示すものではない。また、他方向から別の視覚障害者が接近してきてもわからないといった問題がある。
【０００３】
そのため、従来から、あらかじめ情報が記憶された第１の埋設ＩＣタグと、第２の埋設ＩＣタグと、第１および第２の埋設ＩＣタグに記憶された情報を読み出すタグリーダと送信装置とを具備する視覚障害者用案内杖と、第１の埋設ＩＣタグの情報を受信して音声として出力する視覚障害者が携帯する音声伝達装置と、第２の埋設ＩＣタグのＩＤ情報と組み合わせて、第２の埋設ＩＣタグの位置情報を確定して記憶する位置情報記憶装置とを備えた位置情報システムが開示されている（例えば、特許文献１参照）。
【０００４】
この位置情報システムにおいては、第１の埋設ＩＣタグを視覚障害者用案内杖により検知したら、第１の埋設ＩＣタグの情報が視覚障害者の携帯する携帯端末装置に音声として出力する。そして、第１の埋設ＩＣタグからの電波による情報を４方向にある第２の埋設ＩＣタグが受信して、４方向にある第２の埋設タグが第１の埋設ＩＣタグの情報を第１記憶装置に記録する。このように記憶した第１の埋設ＩＣタグの位置情報に、あらかじめ記憶されていた第１の埋設タグに対する自己の埋設ＩＣタグの関係を示す情報とを加えて、自己の埋設ＩＣタグの位置情報を確定し、この確定された自己の埋設ＩＣタグの位置情報を視覚障害者用案内杖により検知するものである。
【先行技術文献】
【特許文献】
【０００５】
【特許文献１】特開２００９−２４０５３２号公報
【発明の概要】
【発明が解決しようとする課題】
【０００６】
しかしながら、前記特許文献１に記載の発明においては、ＩＣタグが自分自身の位置を特定する目的で、視覚障害者用案内杖の近傍のＩＣタグ同士の通信を繰り返すことになるため、リチウム電池等の大容量の電池を用いたとしても、消費する電力が極めて大きくなり、長時間の使用を行うことができないおそれてがあるという問題を有している。また、ＩＣタグの通信に必要な電源を商用電源から得ようとすると、大掛かりな配線工事が必要となり、設備コストの増大を招くというという問題を有している。
【０００７】
本発明は前記した点に鑑みてなされたものであり、視覚障害者に適正に位置情報を伝達することができ、設備工事が簡単で、設備コストも低減させることのできる位置情報案内システムを提供することを目的とするものである。
【課題を解決するための手段】
【０００８】
本発明は前記目的を達成するために、請求項１に係る発明は、踏むことにより所定電力を発電するタグ付きブロックに内蔵され所定の位置情報が記録されたＩＣタグと、
前記タグ付きブロックに内蔵され前記タグ付きブロックにより発電された電力により動作されるとともに前記ＩＣタグの情報を送信するためのリーダライタ装置と、
視覚障害者が携帯し、前記リーダライタ装置により位置情報が書き込まれる個人識別用タグと、前記個人識別用タグに書き込まれた位置情報を音声により発音する音声伝達装置とを備えた案内杖と、
前記タグ付きブロックに接続されて、前記タグ付きブロックが踏まれたことに基づいて前記リーダライタ装置を起動するとともに視覚障害者の移動方向を判断する制御装置と、
を備えていることを特徴とする。
請求項２に係る発明は、請求項１において、前記リーダライタ装置は、前記個人識別用タグの情報を読み取ることを特徴とする。
【０００９】
請求項３に係る発明は、請求項１または請求項２において、前記制御装置は、前記タグ付きブロックの設置位置情報に基づいて、いずれの位置の前記タグ付きブロックにより発電されたか否かを判断し、前記タグ付きブロックの発電状況から歩行者がいずれの方向に歩行しているかを判断する判断部と、前記判断部により判断された視覚障害者の移動方向に基づいて前記タグ付きブロックの前記ＩＣタグに記録された位置情報を変換して書き換える位置情報管理部とを備えていることを特徴とする。
【００１０】
請求項４に係る発明は、請求項１から請求項３のいずれか一項において、前記タグ付きブロックの周囲に設置され、踏むことにより所定電力を発電する発電ブロックをさらに備えていることを特徴とする。
【００１１】
請求項５に係る発明は、請求項３において、前記制御装置は、少なくとも前記タグ付きブロックにより発電された電力を蓄電する蓄電池をさらに備え、前記リーダライタ装置は、前記蓄電池に蓄電された電力により駆動されることを特徴とする。
【００１２】
請求項６に係る発明は、請求項３から請求項５のいずれか一項において、前記制御装置は、前記タグ付きブロックが踏まれたことをトリガとして、前記リーダライタ装置を起動させるように制御することを特徴とする。
【００１３】
請求項７に係る発明は、請求項６において、前記制御装置は、前記リーダライタ装置を起動させた後に、前記リーダライタ装置により前記案内杖の個人識別用タグを認識しない場合は、前記リーダライタ装置を停止させるように制御することを特徴とする。
【００１４】
請求項８に係る発明は、請求項３から請求項７のいずれか一項において、前記制御装置は、中央管理システムと通信を行う通信部をさらに備え、前記制御装置は、前記通信部により受信した案内情報を前記ＩＣタグに書き込むことを特徴とする。
【発明の効果】
【００１５】
請求項１に係る発明によれば、伝達エリアにタグ付きブロックを設置し、視覚障害者がタグ付きブロックを踏んだ場合に、このタグ付きブロックにより発電された電力を利用してリーダライタ装置を起動し、視覚障害者の移動方向を判断し、リーダライタ装置によりタグ付きブロックのＩＣタグの位置情報を案内杖の個人識別用タグに書き込むようにしているので、視覚障害者にその移動方向を加味して確実に位置情報を伝達することができる。しかも、タグ付きブロックの発電によりリーダライタ装置の駆動電力を得るようにしているので、商用電源などが不要となり、大規模な電源配線工事が不要となり、既設の駅などにタグ付きブロックおよび発電ブロックを設置するだけで、視覚障害者に対する位置情報を伝達することができ、設備工事が簡単で、設備コストの低減を図ることができる。
【００１６】
請求項３に係る発明によれば、制御装置により、視覚障害者がいずれの方向に移動しているかを判断して、中央のタグ付きブロックにより、ＩＣタグに記録されている位置情報と、視覚障害者の移動方向に基づいて、中央に位置するタグ付きブロックのＩＣタグに、視覚障害者の移動方向に応じた位置情報を書き込むとともに、この位置情報を案内杖の個人識別用タグに書き込むようにしているので、視覚障害者の移動方向に応じた位置情報を確実に伝達することができる。
【００１７】
請求項４に係る発明によれば、タグ付きブロックの周囲に、踏むことにより所定電力を発電する発電ブロックをさらに配置するようにしているので、視覚障害者に限らず、健常者がタグ付きブロックまたは発電ブロックを踏むことにより、発電することが可能となる。
【００１８】
請求項５に係る発明によれば、制御装置にタグ付きブロックまたは発電ブロックの少なくとも一方により発電された電力を蓄電する蓄電池をさらに設け、リーダライタ装置を蓄電池に蓄電された電力により駆動するようにしているので、リーダライタ装置を安定して駆動することが可能となる。
【００１９】
請求項６に係る発明によれば、制御装置により、タグ付きブロックが踏まれたことをトリガとして、前記リーダライタ装置を起動させるようにしているので、リーダライタ装置を常時起動させておく必要がなく、省電力化を図ることができる。
【００２０】
請求項７に係る発明によれば、制御装置により、リーダライタ装置を起動させた後に、リーダライタ装置により案内杖の個人識別用タグを認識しない場合は、リーダライタ装置を停止させるようにしているので、個人識別用タグとの通信が不要な場合に、リーダライタ装置を停止させることができ、省電力化を図ることができる。
【００２１】
請求項８に係る発明によれば、制御装置に中央管理システムと通信を行う通信部をさらに設け、制御装置により通信部により受信した案内情報をＩＣタグに書き込むようにしているので、中央管理システムが持っている案内情報を視覚障害者に伝達することができ、視覚障害者に便利なシステムとすることができる。
【図面の簡単な説明】
【００２２】
【図１】本発明に係る位置情報案内システムの第１実施形態を示す概略構成図である。
【図２】本発明に係る位置情報案内システムの第１実施形態における制御構成を示すブロック図である。
【図３】本発明に係る位置情報案内システムの第１実施形態の動作を示すフローチャートである。
【図４】本発明に係る位置情報案内システムの第２実施形態における制御構成を示すブロック図である。
【発明を実施するための最良の形態】
【００２３】
以下、本発明の実施の形態について図面を参照しながら説明する。
【００２４】
図１は本発明に係る位置情報案内システムの第１実施形態を示す概略図である。本実施形態においては、本発明に係る位置情報案内システムを、例えば、駅構内において、東西方向および南北方向の駅通路が交差する箇所に設置した場合を例に説明する。
【００２５】
図１に示すように、本実施形態においては、駅構内の駅通路１が交差する箇所には、視覚障害者に所定の位置情報を伝達するための情報伝達エリア２が設けられている。この情報伝達エリア２の各駅通路１が延在する方向には、複数のタグ付きブロック３，３…が十字状に配列されており、情報伝達エリア２の外部には、タグ付きブロック３に連続するように通常の点字ブロック４が配列されるように構成されている。また、タグ付きブロック３は、中央のタグ付きブロック（Ｃ）３から東方向にＥ１，Ｅ２…Ｅ４、西方向にＷ１，Ｗ２…Ｗ４、北方向にＮ１，Ｎ２…Ｎ４、南方向にＳ１，Ｓ２…Ｓ４と配列されるようになっている。
【００２６】
タグ付きブロック３は、表面上は、通常の点字ブロック４と同様に案内用の凹凸が形成されている。タグ付きブロック３は、例えば、圧電素子、電磁誘導素子、エレクトロアクティブポリマ（ＥＡＰ）素子などの既知の発電可能な素子により構成されており、歩行者が発電ブロック６を踏むことにより、タグ付きブロック３の変位に応じて一定量の電力を発電することができるものである。
【００２７】
また、情報伝達エリア２のタグ付きブロック３の設置位置以外の部分には、発電する機能のみを備えた複数の発電ブロック５，５…が配置されている。
【００２８】
また、図２は本実施形態における位置情報案内システムの制御構成を示したものであり、本実施形態においては、位置情報案内システムは、制御装置６を備えている。この制御装置６には、各タグ付きブロック３および発電ブロック５がそれぞれ接続されており、制御装置６は、各タグ付きブロック３の設置位置情報を取得することができるように構成されている。
【００２９】
また、タグ付きブロック３には、リーダライタ装置７および位置情報を記録したＩＣタグ８が内蔵されている。また、中央に位置するタグ付きブロック３のＩＣタグ８には、例えば、北方向には「出口」、南方向には「○番線ホーム」、東方向には「改札口」、西方向には「売店」といった設置位置から東西南北方向の通路の先に存在する施設などの案内情報が記録されるように構成されている。
【００３０】
また、制御装置６には、各タグ付きブロック３および発電ブロック５により発電された電力を蓄電するための蓄電池９が設けられており、タグ付きブロック３および発電ブロック５を踏んだ場合に発電される電力を蓄電池９に蓄電するように構成されている。
【００３１】
また、制御装置６には、歩行者がタグ付きブロック３を踏んだ場合に、各タグ付きブロック３の設置位置情報に基づいて、いずれの位置のタグ付きブロック３により発電されたか否かを判断し、各タグ付きブロック３の発電状況から視覚障害者がいずれの方向に移動しているかを判断する判断部１０が設けられている。さらに、制御装置６には、判断部１０により判断された視覚障害者の移動方向に基づいて、中央に設置されたタグ付きブロック３のＩＣタグ８に記録された位置情報を管理する位置情報管理部１１が設けられている。
【００３２】
また、視覚障害者が携帯する案内杖１２の先端部には、個人識別情報が記録された個人識別用タグ１３が埋設されており、基端部には、個人識別用タグ１３の情報に基づいて情報を音声により出力するスピーカなどの音声伝達装置１４を制御する杖側制御部１５が設けられている。
【００３３】
そして、制御装置６は、いずれかのタグ付きブロック３が踏まれて発電されたことを検出したことをトリガとして、タグ付きブロック３のリーダライタ装置７を起動させるように制御するものである。なお、起動させるリーダライタ装置７は、視覚障害者が踏んだタグ付きブロック３のリーダライタ装置７のみであってもよいし、すべてのタグ付きブロック３のリーダライタ装置７を起動させるようにしてもよい。また、各タグ付きブロック３は、リーダライタ装置７の起動により、視覚障害者が携帯する案内杖１２の個人識別用タグ１３の情報を読み取り、視覚障害者が情報伝達エリア２に移動したことを認識するように構成されている。
【００３４】
そして、制御装置６は、判断部１０により、視覚障害者が踏んだタグ付きブロック３の設置位置情報に基づいて、歩行者がいずれの方向に歩行しているかを判断し、視覚障害者が中央のタグ付きブロック３に移動した場合に、個人識別用タグ１３が中央のタグ付きブロック３に到達した場合に、タグ付きブロック３のＩＣタグ８に記録されている位置情報と、判断部１０により判断された視覚障害者の移動方向に基づいて、位置情報管理部１１により、中央に位置するタグ付きブロック３のＩＣタグ８に、視覚障害者の移動方向に応じた位置情報に変換して書き込むように制御するように構成されている。そして、中央のタグ付きブロック３のリーダライタ装置７は、視覚障害者の移動方向に応じた位置情報を視覚障害者が携帯する案内杖１２の個人識別用タグ１３に書き込み、案内杖１２の杖側制御部１５は、個人識別用タグ１３に書き込まれた情報に基づいて、音声伝達装置１４により発音し、視覚障害者に伝達するように構成されている。
【００３５】
次に、本実施形態の動作について、図３に示すフローチャートを参照して説明する。なお、本実施形態においては、視覚障害者が東方向から移動してきて、情報エリアで右折して北方向に移動していく場合を例にして説明する。
【００３６】
本実施形態においては、まず、通常状態においては、健常者がタグ付きブロック３または発電ブロック５を踏むことにより、発電される電力を蓄電池９に蓄電しておく。
【００３７】
そして、視覚障害者が点字ブロック４をたどって東方向から西方向に進行して、最も東側のタグ付きブロック（Ｅ４）３を踏むと（ＳＴ１）、タグ付きブロック３により発電が行われ、この発電をトリガとして、制御装置６により、タグ付きブロック３のリーダライタ装置７を起動させる（ＳＴ２）。リーダライタ装置７が起動されると、リーダライタ装置７により、視覚障害者が携帯する案内杖１２の個人識別用タグ１３の情報を読み取り、視覚障害者が情報伝達エリア２に移動したことを認識する（ＳＴ３）。
【００３８】
このとき、リーダライタ装置７が起動した後、一定時間内に、案内杖１２の個人識別用タグ１３がリーダライタ装置７の読み取りエリア内に位置しない場合には（ＳＴ３：ＮＯ）、視覚障害者が情報伝達エリア２に移動したものではないと判断し、リーダライタ装置７を停止させる。なお、リーダライタ装置７の停止は、必ずしも必要ではないが、システムの消費電力を押さえるためには、停止させるように制御する方が好ましい。
【００３９】
そして、視覚障害者が西方向に移動するにつれて、タグ付きブロック３も東側から中央に向かって踏まれ、各タグ付きブロック３により順次発電される。このタグ付きブロック３の発電により、判断部１０により、発電されたタグ付きブロック３の設置位置を認識することにより、視覚障害者がいずれの方向に歩行しているかを判断する（ＳＴ４）。
【００４０】
そして、視覚障害者が中央のタグ付きブロック（Ｃ）３に到達した場合に（ＳＴ５）、タグ付きブロック３のＩＣタグ８に記録されている位置情報と、視覚障害者の移動方向に基づいて、中央に位置するタグ付きブロック（Ｃ）３のＩＣタグ８に、位置情報管理部１１により、視覚障害者の移動方向に応じた位置情報を変換して書き込むように制御する（ＳＴ６）。視覚障害者の移動方向に応じた位置情報としては、前述のように、北方向には「出口」、南方向には「○番線ホーム」、東方向には「改札口」、西方向には「売店」という位置情報が記録されている場合は、視覚障害者が東方向から西方向に移動するという判断に応じて、右方向は「出口」、左方向には「○番線ホーム」、直進は「売店」という情報に変換して書き換えるものである。そして、中央に位置するタグ付きブロック（Ｃ）３のリーダライタ装置７によりこの位置情報を個人識別用タグ１３に送信して書き込む（ＳＴ７）。
【００４１】
このように、中央のタグ付きブロック（Ｃ）３のリーダライタ装置７により、位置情報を視覚障害者が携帯する案内杖１２の個人識別用タグ１３に書き込んだら、案内杖１２の杖側制御部１５は、個人識別用タグ１３に書き込まれた情報に基づいて、音声伝達装置１４により発音し、視覚障害者に位置情報を伝達する（ＳＴ８）。
【００４２】
その後、視覚障害者が北方向に移動した場合に、タグ付きブロック（Ｎ１…）３が北方向に向かって順次踏まれたことを検出し、タグ付きブロック３が踏まれなくなった場合には、視覚障害者が情報伝達エリア２の外部に移動したものと判断して、各タグ付きブロック３のリーダライタ装置７を停止する。
【００４３】
なお、本実施形態においては、各タグ付きブロック３にリーダライタ装置７を設けるうよにしたが、案内杖１２側にリーダライタ装置７を設置するとともに、個人識別用タグ１３をアクティブタグとして、タグ付きブロック３により発電した電力をアクティブタグの駆動に用いるようにしても同様の効果を得ることができる。
【００４４】
以上述べたように、本実施形態においては、情報伝達エリア２にタグ付きブロック３を設置するとともに、その周囲に発電ブロック５を設置し、これらタグ付きブロック３および発電ブロック５を踏む際に発電される電力を蓄電池９に蓄電しておき、視覚障害者がタグ付きブロック３を踏んだ場合に、リーダライタ装置７を起動し、視覚障害者がいずれの方向に移動しているかを判断して、中央のタグ付きブロック３により、ＩＣタグ８に記録されている位置情報と、視覚障害者の移動方向に基づいて、中央に位置するタグ付きブロック３のＩＣタグ８に、視覚障害者の移動方向に応じた位置情報を書き込むとともに、この位置情報を案内杖１２の個人識別用タグ１３に書き込むようにしているので、視覚障害者に確実に位置情報を伝達することができる。しかも、タグ付きブロック３および発電ブロック５の発電によりリーダライタ装置７の駆動電力を得るようにしているので、商用電源などが不要となり、大規模な電源配線工事が不要となり、既設の駅などにタグ付きブロック３および発電ブロック５を設置するだけで、視覚障害者に対する位置情報を伝達することができ、設備工事が簡単で、設備コストの低減を図ることができる。
【００４５】
なお、本実施形態においては、各タグ付きブロック３にリーダライタ装置７を設置するようにしたが、中央に設置したタグ付きブロック３あるいは、いずれか１つのタグ付きブロック３のみにリーダライタ装置７を設置するようにしてもよい。
【００４６】
また、本実施形態においては、タグ付きブロック３を踏むことにより、視覚障害者の移動方向を判断することができるので、例えば、他方向から他の視覚障害者が移動してきたことを判断することも可能であり、この場合には、制御装置６により、ＩＣタグ８にその旨の情報をさらに書き込むことにより、視覚障害者に注意を促すことも可能である。
【００４７】
次に、本発明の第２実施形態について、図４を参照して説明する。なお、本実施形態においては、第１実施形態と同一部分には同一符号を付して説明する。
【００４８】
本実施形態においては、図４に示すように、制御装置６に、中央管理システム１６と無線または有線により通信を行う通信部１７を設けるようにしたものである。すなわち、本実施形態においては、制御装置６の通信部１７により中央管理システム１６から送られる最新の案内情報を受信し、中央に設置されたタグ付きブロック３のＩＣタグ８に位置情報とともに書き込むことにより、中央管理システム１６からの案内情報を案内杖１２に送信することができるようにしたものである。この案内情報としては、位置情報案内システムが駅に設置される場合であれば、例えば、列車の遅延情報や事故情報など、一時的に発生する情報や緊急の情報などが考えられる。
【００４９】
次に、本実施形態の作用について説明する。
【００５０】
本実施形態においても前記第１実施形態と同様に、タグ付きブロック３または発電ブロック５を踏むことにより発電される電力を蓄電池９に蓄電しておく。
【００５１】
そして、視覚障害者がタグ付きブロック３を踏んで、タグ付きブロック３により発電が行われると、この発電をトリガとして、制御装置６により、タグ付きブロック３のリーダライタ装置７を起動させる。リーダライタ装置７が起動されると、リーダライタ装置７により、視覚障害者が携帯する案内杖１２の個人識別用タグ１３の情報を読み取り、視覚障害者が情報伝達エリア２に移動したことを認識する。そして、視覚障害者が移動により発電されるタグ付きブロック３の位置情報に基づいて、判断部１０により、視覚障害者の移動方向を判断する。
【００５２】
そして、視覚障害者が中央のタグ付きブロック３に到達した場合に、タグ付きブロック３のＩＣタグ８に記録されている位置情報と、視覚障害者の移動方向に基づいて、中央に位置するタグ付きブロック３のＩＣタグ８に、視覚障害者の移動方向に応じた位置情報を書き込むとともに、中央管理システム１６から制御装置６に送られた案内情報を書き込むように制御する。そして、中央に位置するタグ付きブロック３のリーダライタ装置７によりこの位置情報および案内情報を個人識別用タグ１３に書き込む。
【００５３】
そして、位置情報および案内情報を視覚障害者が携帯する案内杖１２の個人識別用タグ１３に書き込んだら、案内杖１２の杖側制御部１５は、個人識別用タグ１３に書き込まれた情報に基づいて、音声伝達装置１４により発音し、視覚障害者に位置情報および案内情報を伝達する。
【００５４】
以上述べたように、本実施形態においては、視覚障害者がタグ付きブロック３を踏んだ場合に、リーダライタ装置７を起動するとともに、視覚障害者がいずれの方向に移動しているかを判断して、中央に位置するタグ付きブロック３のＩＣタグ８に、視覚障害者の移動方向に応じた位置情報および中央管理システム１６から送られる案内情報を書き込むとともに、この位置情報をリーダライタ装置７により案内杖１２の個人識別用タグ１３に書き込むようにしているので、視覚障害者に確実に位置情報および案内情報を伝達することができる。しかも、タグ付きブロック３および発電ブロック５の発電によりリーダライタ装置７の駆動電力を得るようにしているので、商用電源などが不要となり、大規模な電源配線工事が不要となり、既設の駅などにタグ付きブロック３および発電ブロック５を設置するだけで、視覚障害者に対する位置情報を伝達することができ、設備工事が簡単で、設備コストの低減を図ることができる。
【００５５】
なお、前記各実施形態においては、位置情報案内システムを、駅の通路に設置した場合について説明したが、その他、公共施設内や一般の歩道など、視覚障害者が移動する場所であれば、いずれに設置するようにしてもよい。
【００５６】
また、本発明は前記実施形態に限定されるものではなく、本発明の趣旨に基づいて種々の変形が可能である。
【符号の説明】
【００５７】
１  駅通路
２  情報伝達エリア
３  タグ付きブロック
４  点字ブロック
５  発電ブロック
６  制御装置
７  リーダライタ装置
８  ＩＣタグ
９  蓄電池
１０  判断部
１１  位置情報管理部
１２  案内杖
１３  個人識別用タグ
１４  音声伝達装置
１５  杖側制御部
１６  中央管理システム
１７  通信部
【図１】
0005791911.tif 000002
【図２】
0005791911.tif 000003
【図３】
0005791911.tif 000004
【図４】
0005791911.tif 000005